(57)【要約】【課題】低コスト且つ簡単な構成で情報をカード等の端末に記録して利用することが可能になる端末情報利用システムを提供する。【解決手段】情報記録カード１０は、情報記録面１０ａの対角上の２点に導電性材料を埋設した基準点１２ａ，１２ｂを設けると共に、当該基準点１２ａ，１２ｂ間の領域サイズに応じた所定の配列パターンからなるデータ点１３ａ，１３ｂ，…，１３ｘを設ける。このデータ点１３ａ，１３ｂ，…，１３ｘは、前記基準点１２ａ，１２ｂよりも導電性の低い導電性材料を埋設してデータ“１”として扱うデータ点と、埋設せずにデータ“０”として扱うデータ点として、記録すべき情報に応じた“１”“０”の組み合わせにより設ける。そして、前記情報記録カード１０の情報記録面１０ａを静電容量型のタッチパネル式ＰＤＡ２０のタッチパネル表示部２２に載せて接触させ、その記録情報を読み取る。【選択図】      図１
2014164587.tif 000002
【特許請求の範囲】
【請求項１】
情報記録端末と当該端末に記録された情報を読み取る端末情報読み取り装置とを備えた端末情報利用システムであって、
前記情報記録端末は、
端末本体と、
この端末本体に設けられ前記端末情報読み取り装置のタッチパネルにより検出可能な基準点と、
前記端末本体に前記基準点に応じて設けられ、前記端末情報読み取り装置のタッチパネルにより検出可能なデータ点とを備え、
前記端末情報読み取り装置は、
タッチパネルと、
このタッチパネルにより前記情報記録端末の基準点を検出する基準点検出手段と、
この基準点検出手段により検出された基準点に応じて前記情報記録端末に設けられたデータ点を認識するデータ点認識手段と、
このデータ点認識手段により認識された前記複数のデータ点に基づいて、データを解析するデータ解析手段とを備えた、
ことを特徴とする端末情報利用システム。
【請求項２】
前記情報記録端末において、
前記基準点は、前記端末本体の一面の対角する２点に設けられ、
前記データ点は、前記端末本体の一面に前記２点の基準点の間隔に応じて設けられ、
前記端末情報読み取り装置において、
前記基準点検出手段は、前記タッチパネルにより前記情報記録端末の２点の基準点を検出し、
前記データ点認識手段は、前記基準点検出手段により検出された２点の基準点の間隔に応じて前記情報記録端末に設けられた複数のデータ点を認識する、
ことを特徴とする請求項１に記載の端末情報利用システム。
【請求項３】
前記情報記録端末において、
前記基準点は、前記端末本体の一面の４角のうち３つの角の３点に設けられ、
前記データ点は、前記端末本体の一面に前記３点の基準点のうち対角の２点の基準点の間隔に応じて設けられ、
前記端末情報読み取り装置において、
前記基準点検出手段は、前記タッチパネルにより前記情報記録端末の３点の基準点を検出し、
前記データ点認識手段は、前記基準点検出手段により検出された３点の基準点のうち対角の２点の基準点の間隔に応じて前記情報記録端末に設けられたデータ点を認識する、
ことを特徴とする請求項１に記載の端末情報利用システム。
【請求項４】
前記情報記録端末において、
前記基準点は、前記端末本体の一面に、前記端末情報読み取り装置の静電容量型タッチパネルにより検出可能な導電性材料により設けられ、
前記データ点は、前記端末本体の一面に、前記基準点に応じた配列パターンの配列で、前記端末情報読み取り装置の静電容量型タッチパネルにより“１”または“０”の信号として検出可能な導電性材料により設けられ、
前記端末情報読み取り装置において、
前記タッチパネルは、静電容量型のタッチパネルである、
ことを特徴とする請求項１ないし請求項３の何れか１項に記載の端末情報利用システム。
【請求項５】
前記情報記録端末において、
前記基準点の導電性材料の導電特性と、前記データ点の導電性材料の導電特性とを異ならせたことを特徴とする請求項４に記載の端末情報利用システム。
【請求項６】
前記情報記録端末において、
前記基準点の導電性材料の大きさと、前記データ点の導電性材料の大きさとを異ならせたことを特徴とする請求項４に記載の端末情報利用システム。
【請求項７】
請求項１ないし請求項６の何れか１項に記載の端末情報利用システムにおける情報記録端末。
【請求項８】
請求項１ないし請求項６の何れか１項に記載の端末情報利用システムにおける端末情報読み取り装置。
【請求項９】
タッチパネルと、
このタッチパネルにより情報記録端末の基準点を検出する基準点検出手段と、
この基準点検出手段により検出された基準点に応じて前記情報記録端末に設けられたデータ点を認識するデータ点認識手段と、
このデータ点認識手段により認識された前記複数のデータ点に基づいて、データを解析するデータ解析手段とを備えた、
ことを特徴とする端末情報利用装置。
【請求項１０】
端末本体と、この端末本体の一面に静電容量型タッチパネルにより検出可能な導電性材料により設けられた基準点と、前記端末本体の一面に前記基準点に応じた配列パターンの配列で前記静電容量型タッチパネルにより“１”または“０”の信号として検出可能な導電性材料により設けられた複数のデータ点とを備えた情報記録端末に記録された情報を読み取る静電容量型タッチパネルを備えた端末情報読み取り装置のコンピュータを制御するための端末情報読み取り方法であって、
前記タッチパネルにより前記情報記録端末の基準点を検出し、
この検出された基準点に応じて前記情報記録端末に設けられた複数のデータ点の配列パターンを認識し、
この認識された前記複数のデータ点の配列パターンに基づいて、前記情報記録端末に設けられた複数のデータ点にそれぞれ対応する信号を検出し、
この検出された前記複数のデータ点にそれぞれ対応する“１”と“０”との信号の組み合わせに基づいて前記情報記録端末に記録されたデータを解析する、
ことを特徴とする端末情報読み取り方法。
【請求項１１】
端末本体と、この端末本体の一面に静電容量型タッチパネルにより検出可能な導電性材料により設けられた基準点と、前記端末本体の一面に前記基準点に応じた配列パターンの配列で前記静電容量型タッチパネルにより“１”または“０”の信号として検出可能な導電性材料により設けられた複数のデータ点とを備えた情報記録端末に記録された情報を読み取る静電容量型タッチパネルを備えた端末情報読み取り装置のコンピュータを制御するためのプログラムであって、
前記コンピュータを、
前記タッチパネルにより前記情報記録端末の基準点を検出する基準点検出手段、
この基準点検出手段により検出された基準点に応じて前記情報記録端末に設けられた複数のデータ点の配列パターンを認識する配列パターン認識手段、
この配列パターン認識手段により認識された前記複数のデータ点の配列パターンに基づいて、前記情報記録端末に設けられた複数のデータ点にそれぞれ対応する信号を検出するデータ点検出手段、
このデータ点検出手段により検出された前記複数のデータ点にそれぞれ対応する“１”と“０”との信号の組み合わせに基づいて前記情報記録端末に記録されたデータを解析するデータ解析手段、
として機能させるためのプログラム。
【発明の詳細な説明】
【技術分野】
【０００１】
本発明は、各種の情報をカード等の端末に記録して利用するための端末情報利用システム、情報記録端末、端末情報読み取り装置、端末情報読み取り方法、およびプログラムに関する。
【背景技術】
【０００２】
従来、個人情報等を記録して利用するカードとしては、金融機関の現金自動預け払い機等で使用する磁気カード、ＩＣカードや交通機関の自動改札機等で使用する非接触ＩＣカード等、様々なカードがある。
【０００３】
磁気カードやＩＣカードに記録された情報は、使用対象機器に内蔵された専用のカード読み取り装置を通して読み取られ、また、非接触ＩＣカードに記録された情報は、カード内に実装されたＩＣチップからアンテナを介し無線通信によって使用対象機器に内蔵されたアンテナに受信されＩＣチップに読み取られる。
【０００４】
ＩＣチップやアナログ回路から有線でデータを読み出す方式に比べて、回路構成の複雑化を避けると共に、セキュリティ面や寄生容量による影響面で有利な非接触ＩＣカード及び非接触通信装置が考えられている（例えば、特許文献１参照。）。
【先行技術文献】
【特許文献】
【０００５】
【特許文献１】特開２０１１−６０１２１号公報
【発明の概要】
【発明が解決しようとする課題】
【０００６】
磁気カードやＩＣカードを使用する場合、その使用対象機器に機械的な読み取り装置を搭載しなければならず、また、非接触ＩＣカードを使用する場合、カード自体にＩＣチップやアンテナを実装しなければない。
【０００７】
このため、使用対象機器への読み取り装置の実装容量が課題になるばかりでなく、特に、非接触ＩＣカードについては、カード単体のコストも高くなる問題がある。
【０００８】
本発明は、このような課題に鑑みてなされたもので、低コスト且つ簡単な構成で情報をカード等の端末に記録して利用することが可能になる端末情報利用システム、情報記録端末、端末情報読み取り装置、端末情報読み取り方法、およびプログラムを提供することを目的とする。
【課題を解決するための手段】
【０００９】
本発明に係る端末情報利用システムは、情報記録端末と当該端末に記録された情報を読み取る端末情報読み取り装置とを備えた端末情報利用システムであって、
前記情報記録端末は、端末本体と、この端末本体に設けられ前記端末情報読み取り装置のタッチパネルにより検出可能な基準点と、前記端末本体に前記基準点に応じて設けられ、前記端末情報読み取り装置のタッチパネルにより検出可能なデータ点とを備え、
前記端末情報読み取り装置は、タッチパネルと、このタッチパネルにより前記情報記録端末の基準点を検出する基準点検出手段と、この基準点検出手段により検出された基準点に応じて前記情報記録端末に設けられたデータ点を認識するデータ点認識手段と、このデータ点認識手段により認識された前記複数のデータ点に基づいて、データを解析するデータ解析手段とを備えた、ことを特徴としている。
【００１０】
本発明に係る情報記録端末は、前記端末情報利用システムにおける情報記録カードである。
【００１１】
本発明に係る端末情報読み取り装置は、前記端末情報利用システムにおける端末情報読み取り装置である。
【００１２】
本発明に係る端末情報読み取り方法は、端末本体と、この端末本体の一面に静電容量型タッチパネルにより検出可能な導電性材料により設けられた基準点と、前記端末本体の一面に前記基準点に応じた配列パターンの配列で前記静電容量型タッチパネルにより“１”または“０”の信号として検出可能な導電性材料により設けられた複数のデータ点とを備えた情報記録端末に記録された情報を読み取る静電容量型タッチパネルを備えた端末情報読み取り装置のコンピュータを制御するための端末情報読み取り方法であって、前記タッチパネルにより前記情報記録端末の基準点を検出し、この検出された基準点に応じて前記情報記録端末に設けられた複数のデータ点の配列パターンを認識し、この認識された前記複数のデータ点の配列パターンに基づいて、前記情報記録端末に設けられた複数のデータ点にそれぞれ対応する信号を検出し、この検出された前記複数のデータ点にそれぞれ対応する“１”と“０”との信号の組み合わせに基づいて前記情報記録端末に記録されたデータを解析する、ことを特徴としている。
【００１３】
本発明に係るプログラムは、端末本体と、この端末本体の一面に静電容量型タッチパネルにより検出可能な導電性材料により設けられた基準点と、前記端末本体の一面に前記基準点に応じた配列パターンの配列で前記静電容量型タッチパネルにより“１”または“０”の信号として検出可能な導電性材料により設けられた複数のデータ点とを備えた情報記録端末に記録された情報を読み取る静電容量型タッチパネルを備えた端末情報読み取り装置のコンピュータを制御するためのプログラムであって、前記コンピュータを、前記タッチパネルにより前記情報記録端末の基準点を検出する基準点検出手段、この基準点検出手段により検出された基準点に応じて前記情報記録端末に設けられた複数のデータ点の配列パターンを認識する配列パターン認識手段、この配列パターン認識手段により認識された前記複数のデータ点の配列パターンに基づいて、前記情報記録端末に設けられた複数のデータ点にそれぞれ対応する信号を検出するデータ点検出手段、このデータ点検出手段により検出された前記複数のデータ点にそれぞれ対応する“１”と“０”との信号の組み合わせに基づいて前記情報記録端末に記録されたデータを解析するデータ解析手段、として機能させることを特徴としている。
【発明の効果】
【００１４】
本発明によれば、低コスト且つ簡単な構成で情報をカード等の端末に記録して利用することが可能になる。
【図面の簡単な説明】
【００１５】
【図１】本発明の端末情報利用システムの実施形態に係るカード情報利用システムの外観構成を示す正面図。
【図２】前記カード情報利用システムのカード情報読み取り装置として使用するタッチパネル式ＰＤＡ２０の電子回路の構成を示すブロック図。
【図３】前記タッチパネル式ＰＤＡ２０のカード読み取り処理を示すフローチャート。
【図４】前記カード情報利用システムにおけるカード情報読み取り装置２０の他の実施形態を示す図であり、同図（Ａ）はカード情報読み取り装置２０としてデスクトップＰＣ２０Ｐを使用した外観構成を示す正面図、同図（Ｂ）はカード情報読み取り装置２０としてスマートフォン２０Ｓを使用した外観構成を示す正面図。
【図５】前記カード情報利用システムで使用する他の実施形態の情報記録カード１０′の外観構成を示す正面図。
【発明を実施するための形態】
【００１６】
以下図面により本発明の実施の形態について説明する。
【００１７】
図１は、本発明の端末情報利用システムの実施形態に係るカード情報利用システムの外観構成を示す正面図である。
【００１８】
このカード情報利用システムは、情報記録カード１０とカード情報読み取り装置２０とから構成され、本実施形態におけるカード情報読み取り装置２０としては、以下に説明するタッチパネル式ＰＤＡ(personal data assistant)２０として構成されるか、ＰＣ(personal computer)、スマートフォン、携帯電話、電子ブック、携帯ゲーム機等、何れもタッチパネルを備えた電子機器として構成される。
【００１９】
前記情報記録カード１０は、カード本体１１が例えば８５ｍｍ×５５ｍｍの長方形でプラスチック等の材料からなり、その一方の面を情報記録面１０ａとして構成する。
【００２０】
前記カード本体１１の情報記録面１０ａには、その対角となる２か所にシリコンゴムや特殊導電繊維などの導電性材料を埋設した基準点１２ａ，１２ｂが設けられる。また、この基準点１２ａ，１２ｂ間の矩形の領域には、当該基準点１２ａ，１２ｂと同等あるいは類似の導電性材料を埋設した、または埋設しない、データ点１３ａ，１３ｂ，…，１３ｘが縦横に配列されて設定される。
【００２１】
このデータ点１３ａ，１３ｂ，…，１３ｘは、前記基準点１２ａ，１２ｂ間の矩形の領域において、隣接するデータ点１３ａ，１３ｂ，…同士が予め設定された間隔で所定の配列パターンとなるように設けられる。
【００２２】
そして、この情報記録カード１０は、前記所定の配列パターンに対応して設けられたデータ点１３ａ，１３ｂ，…の総数に応じて記録可能な情報量が定まるもので、各データ点１３ａ，１３ｂ，…のうち、当該カード１０に記録したい情報に応じて導電性材料を埋設したデータ点（ここでは、１３ａ〜１３ｈ，１３ｊ，１３ｋ，１３ｍ，１３ｏ〜１３ｘ）と埋設しないデータ点（ここでは、１３ｉ，１３ｌ，１３ｎ）からなるデータパターンを設定する。
【００２３】
なお、本実施形態において、前記基準点１２ａ，１２ｂの導電性材料とデータ点１３ａ，１３ｂ，…１３ｘの導電性材料との違いは、データ点１３ａ，１３ｂ，…１３ｘに用いる導電性材料よりも基準点１２ａ，１２ｂに用いる導電性材料の方がその導電性が高いものとして構成する。
【００２４】
すなわち、前記所定の配列パターンとなるデータ点１３ａ，１３ｂ，…，１３ｘにおいて、例えば、導電性材料が埋設されたところのデータ点をデータ“１”、導電性材料が埋設されないところのデータ点をデータ“０”として扱い、当該“１”と“０”で扱われるデータ点の位置を当該所定の配列パターンの中で規則的に異ならせることで、複数の情報記録カード１０…のそれぞれに異なる情報を記録できる。
【００２５】
なお、前記情報記録カード１０の情報記録面１０ａの基準点１２ａ，１２ｂや各データ点１３ａ，１３ｂ，…は、必要に応じて目視により認識できないものとして設ける。
【００２６】
そして、この情報記録カード１０に設けたデータ点１３ａ，１３ｂ，…，１３ｘの“１”“０”の配列パターンによって記録された情報（データ）は、例えばタッチパネル式ＰＤＡ２０により読み取って利用する。
【００２７】
タッチパネル式ＰＤＡ２０は、その上側面に電源キー２１を有し、正面の略全域にタッチパネル表示部２２を有する。
【００２８】
タッチパネル表示部２２は、カラー液晶表示画面２２ｄに静電容量式の透明タッチパネル２２ｔを重ねて構成したもので、このタッチパネル２２ｔは、マルチタッチに対応した複数のタッチ点の位置とそのタッチ強度（面積）を検出できる。
【００２９】
ここで、前記情報記録カード１０の情報記録面１０ａを、破線矢印Ｒ１，Ｒ２に示すように、前記ＰＤＡ２０のタッチパネル表示部２２のタッチパネル２２ｔに対面させて接触させると、前記情報記録面１０ａの基準点１２ａ，１２ｂ、および各データ点１３ａ〜１３ｘのうちで導電性材料が埋設されているデータ点１３ａ〜１３ｈ，１３ｊ，１３ｋ，１３ｍ，１３ｏ〜１３ｘに対応する位置で、タッチ操作された場合と同様の電気信号がタッチパネル２２ｔに検出される。
【００３０】
この際、前記タッチパネル２２ｔでは、前記データ点１３ａ〜１３ｈ，１３ｊ，１３ｋ，１３ｍ，１３ｏ〜１３ｘに対応する位置で検出された電気信号よりも、前記基準点１２ａ，１２ｂに対応する位置で検出された電気信号の方が強い信号強度として検出される。
【００３１】
従って、ＰＤＡ２０では、タッチパネル表示部２２に載せられた情報記録カード１０について、その基準点１２ａ，１２ｂの位置をデータ点１３ａ〜１３ｈ，１３ｊ，１３ｋ，１３ｍ，１３ｏ〜１３ｘの位置と区別して認識できる。
【００３２】
図２は、前記カード情報利用システムのカード情報読み取り装置として使用するタッチパネル式ＰＤＡ２０の電子回路の構成を示すブロック図である。
【００３３】
このＰＤＡ２０は、各種の記録媒体に記録されたプログラムを読み込んで、その読み込んだプログラムによって動作が制御されるコンピュータによって構成され、その電子回路には、ＣＰＵ(central processing unit)２３が備えられる。
【００３４】
前記ＣＰＵ２３は、記憶装置２４内に予め記憶されたＰＤＡ制御プログラム、あるいはＲＯＭカードなどの外部記録媒体２５から記録媒体読み取り部２６を介して前記記憶装置２４に読み込まれたＰＤＡ制御プログラム、あるいはインターネットＮ上のＷｅｂサーバ（この場合はプログラムサーバ）３０から通信部２７を介して前記記憶装置２４に読み込まれたＰＤＡ制御プログラムに応じて、ＲＡＭ２８を作業用メモリとして回路各部の動作を制御する。
【００３５】
前記記憶装置２４に記憶されたＰＤＡ制御プログラムは、電源キー２１、タッチパネル表示部２２からのユーザ操作に応じた入力信号、あるいは通信部２７を介して接続されるインターネットＮ上の各Ｗｅｂサーバ３０…との通信信号に応じて起動される。
【００３６】
そして、前記記憶装置２４には、ＰＤＡ制御プログラムとして、当該ＰＤＡ２０の全体の動作を司るシステムプログラム、通信部２７を介してインターネットＮ上の各Ｗｅｂサーバ３０…や図示しない他の端末装置などとデータ通信するための通信プログラム等が記憶される。また、前記ＰＤＡ制御プログラムとして、前記情報記録カード１０に記録された情報を読み取るためのカード読み取りモードの設定に伴い起動されるカード読み取りプログラム２４ａが記憶される。
【００３７】
さらに、前記記憶装置２４には、前記カード読み取りモード用のデータベースとして使用される基準点対応データ点パターンテーブル２４ｂ、コード変換テーブル２４ｃが記憶される。
【００３８】
前記基準点対応データ点パターンテーブル２４ｂには、前記情報記録カード１０の情報記録面１０ａに設けられた２つの基準点１２ａ，１２ｂ間の距離と、当該基準点間の距離（矩形領域サイズ）に応じて一意的に定められたデータ点１３ａ，１３ｂ，…の配列パターン（基準点１２ａ，１２ｂを基準とする各データ点１３ａ，１３ｂ，…の位置）とを対応付けたデータが、異なる基準点間距離毎に記憶される。
【００３９】
前記コード変換テーブル２４ｃには、前記基準点対応データ点パターンテーブル２４ｂに記憶されたデータ点１３ａ，１３ｂ，…の配列パターンに対応して前記タッチパネル２２ｔにより検出可能なデータ“１”とデータ“０”の全ての組み合わせからなる各コードと、当該各コードを復元した情報（文字列）のデータとが対応付けられて記憶される。
【００４０】
ここで、前記コード変換テーブル２４ｃに基づきコード変換（復元）された情報（文字列）が、前記情報記録カード１０に記録された例えば個人認証情報となる。
【００４１】
前記ＲＡＭ２８には、動作モードメモリ２８ａ、基準点位置メモリ２８ｂ、読み取りコードメモリ２８ｃ、読み取りデータメモリ２８ｄ、表示データメモリ２８ｅなどが確保される。
【００４２】
前記動作モードメモリ２８ａには、本ＰＤＡ２０の現在の動作モードを示すデータが記憶される。
【００４３】
前記基準点位置メモリ２８ｂには、前記カード読み取りモードにおいて前記タッチパネル２２ｔにより検出された前記情報記録カード１０の基準点１２ａ，１２ｂに対応する位置（座標）データが記憶される。
【００４４】
前記読み取りコードメモリ２８ｃには、前記カード読み取りモードにおいて前記タッチパネル２２ｔにより検出された前記情報記録カード１０の各データ点１３ａ，１３ｂ，…に対応するところのデータ“１”とデータ“０”の組み合わせからなるコードデータが記憶される。
【００４５】
前記読み取りデータメモリ２８ｄには、前記読み取りコードメモリ２８に記憶されたコードデータに対応して、前記コード変換テーブル２４ｃにより変換された情報（文字列）のデータが記憶される。
【００４６】
前記表示データメモリ２８ｅには、各動作モードでの動作に応じてタッチパネル表示部２２に表示すべき表示データが記憶される。
【００４７】
このように構成されたタッチパネル式ＰＤＡ（カード情報読み取り装置）２０は、ＣＰＵ２３が前記ＰＤＡ制御プログラム（カード読み取りプログラム２４ａ含む）に記述された命令に従い回路各部の動作を制御し、ソフトウエアとハードウエアとが協働して動作することにより、以下の動作説明で述べるカード読み取り機能を実現する。
【００４８】
次に、前記構成のタッチパネル式ＰＤＡ（カード情報読み取り装置）２０によるカード読み取り機能の動作について説明する。
【００４９】
図３は、前記タッチパネル式ＰＤＡ２０のカード読み取り処理を示すフローチャートである。
【００５０】
電源キー２１の操作に応じて初期設定された動作モード、あるいはタッチパネル表示部２２に表示されたアプリケーションの選択画面（図示せず）に応じて選択的に設定された動作モードが、動作モードメモリ２８ａに記憶されたモードデータに基づきカード読み取りモードであると判断されると（ステップＳ１，Ｓ２（Ｙｅｓ））、ＣＰＵ２３の動作状態がカード読み取り待機状態に設定される（ステップＳ３）。
【００５１】
このカード読み取り待機状態において、ユーザが、例えばユーザ自身の個人認証情報を記録した情報記録カード１０（図１参照）の情報記録面１０ａをタッチパネル表示部２２に重ねて接触させる。
【００５２】
すると、前記タッチパネル表示部２２のタッチパネル２２ｔにおいて、前記情報記録カード１０の情報記録面１０ａに設けられた基準点１２ａ，１２ｂに対応する位置と、複数のデータ点１３ａ，１３ｂ，…のうち導電性材料が埋設されたデータ点１３ａ〜１３ｈ，１３ｊ，１３ｋ，１３ｍ，１３ｏ〜１３ｘに対応する位置から信号が入力される（ステップＳ４）。
【００５３】
ここで、前記タッチパネル２２ｔにおいて、前記情報記録カード１０の各データ点１３ａ〜１３ｈ，１３ｊ，１３ｋ，１３ｍ，１３ｏ〜１３ｘに対応する位置から入力される信号強度より、前記基準点１２ａ，１２ｂから入力される信号強度が強いことで当該基準点１２ａ，１２ｂの位置が検出されると（ステップＳ５（Ｙｅｓ））、検出された基準点１２ａ，１２ｂの位置（座標）データが基準点位置メモリ２８ｂに記憶され、同基準点１２ａ，１２ｂ間の距離が算出される（ステップＳ６）。
【００５４】
すると、前記情報記録カード１０の基準点間距離（１２ａ−１２ｂ）に対応付けられて前記基準点対応データ点パターンテーブル２４ｂに記憶されている当該情報記録カード１０のデータ点１３ａ〜１３ｘの配列パターンが認識される（ステップＳ７）。
【００５５】
すると、前記認識されたデータ点１３ａ〜１３ｘの配列パターンに基づいて、当該各データ点１３ａ〜１３ｘに対応するところのタッチパネル２２ｔの各位置において検出される信号が、信号有り→データ“１”、信号無し→データ“０”として組み合わせたコードデータとして読み出され、読み取りコードメモリ２８ｃに記憶される。
【００５６】
具体的には、例えば前記図１を参照して説明した情報記録カード１０の場合、導電性材料が埋設されている各データ点１３ａ〜１３ｈ，１３ｊ，１３ｋ，１３ｍ，１３ｏ〜１３ｘがデータ“１”、それ以外のデータ点１３ｉ，１３ｌ，１３ｎがデータ“０”となって組み合わされたコードデータが読み取られる。
【００５７】
そして、前記読み取りコードメモリ２８ｃに記憶されたコードデータは、コード変換テーブル２４ｃに従い当該コードデータに対応した情報（ここでは、個人認証用の文字列）のデータに変換（復元）され、読み取りデータメモリ２８ｄに記憶される（ステップＳ８）。
【００５８】
すると、前記読み取りデータメモリ２８ｄに記憶された前記情報記録カード１０からの読み取り情報（ここでは、個人認証情報）に基づいて、例えば新たなアプリケーションの動作モードへの変更禁止の解除処理や特定データへのアクセス制限の解除処理等、読み取りデータに応じた処理が実行される（ステップＳ９）。
【００５９】
したがって、前記構成の情報記録カード１０とタッチパネル式ＰＤＡ（カード情報読み取り装置）２０とからなるカード情報利用システムによれば、情報記録カード１０は、その情報記録面１０ａの対角上の２点に導電性材料を埋設した基準点１２ａ，１２ｂを設けると共に、当該基準点１２ａ，１２ｂ間の矩形領域に、その領域サイズに応じた所定の配列パターンからなるデータ点１３ａ，１３ｂ，…，１３ｘを設ける。このデータ点１３ａ，１３ｂ，…，１３ｘは、前記基準点１２ａ，１２ｂよりも導電性の低い導電性材料を埋設してデータ“１”として扱うデータ点と、埋設せずにデータ“０”として扱うデータ点として、記録すべき情報に応じた“１”“０”の組み合わせにより設ける。
【００６０】
そして、前記情報記録カード１０の情報記録面１０ａをタッチパネル式ＰＤＡ２０のタッチパネル表示部２２に載せて接触させると、タッチパネル２２ｔにより、前記情報記録面１０ａの基準点１２ａ，１２ｂの位置が検出されると共に、当該基準点１２ａ，１２ｂ間の領域サイズに対応して認識されるデータ点配列パターンの各配列位置において、前記導電性材料を埋設したデータ点１３ａ〜１３ｈ，１３ｊ，１３ｋ，１３ｍ，１３ｏ〜１３ｘが“１”、埋設しないデータ点１３ｉ，１３ｌ，１３ｎが“０”として検出され、当該“１”と“０”を組み合わせたコードデータとして読み出される。そして、このコードデータは、コード変換テーブル２４ｃにより元の情報のデータに復元されて利用される。
【００６１】
よって、情報記録カード１０それ自体を低コスト且つ簡単な構成で作ることができるだけでなく、当該情報記録カード１０に記録した情報は、一般的に汎用されている静電容量型のタッチパネル２２ｔを備えたＰＤＡ２０等の電子機器を利用して読み取ることができる。
【００６２】
図４は、前記カード情報利用システムにおけるカード情報読み取り装置２０の他の実施形態を示す図であり、同図（Ａ）はカード情報読み取り装置２０としてデスクトップＰＣ２０Ｐを使用した外観構成を示す正面図、同図（Ｂ）はカード情報読み取り装置２０としてスマートフォン２０Ｓを使用した外観構成を示す正面図である。
【００６３】
図４（Ａ）に示すデスクトップＰＣ２０Ｐおよび図４（Ｂ）に示すスマートフォン２０Ｓの何れにあっても、前記実施形態のタッチパネル式ＰＤＡ２０と同様に、静電容量型のタッチパネル表示部２２を有すると共に、カード読み取りモードによって起動するカード読み取りプログラムを記憶する。そして、情報記録カード１０の情報記録面１０ａに所定配列パターンのデータ点１３ａ，１３ｂ，…として記録された情報のデータを、タッチパネル表示部２２を介して読み取り、当該情報に応じた処理を実行する。
【００６４】
例えば、業務用のデスクトップＰＣ２０Ｐを起動する場合に、情報記録カード１０に記録された個人認証情報を当該ＰＣ２０Ｐに読み取らせ、同ＰＣ２０Ｐ内に予め登録されたログイン可能な個人認証情報との一致／不一致を判断することで、同ＰＣ２０Ｐの起動を制御し、セキュリティ機能の向上を図る。
【００６５】
また例えば、情報記録カード１０に利用者それぞれの個人情報（名前、電話番号、E-mailアドレス等）を記録しておき、友人，知人等のスマートフォン２０Ｓに読み取らせるだけで、当該スマートフォン２０Ｓへのアドレス登録を簡単に行ない、データ転送機能の向上を図る。
【００６６】
なお、前記実施形態の情報記録カード１０は、その情報記録面１０ａの対角上の２点の基準点１２ａ，１２ｂを基準に、その基準点１２ａ，１２ｂ間の領域サイズに応じた所定配列パターンのデータ点１３ａ，１３ｂ，…を認識する構成とした。この場合、情報記録カード１０の上下あるいは左右方向を規定して、前記カード情報読み取り装置（２０，２０Ｐ，２０Ｓ）のタッチパネル表示部２２に読み取らせるには、例えば情報記録カード１０のカード本体１１にその方向を識別できる何らかの目印を付加する必要がある。
【００６７】
これに対し、次の図５を参照して説明するように、情報記録カード１０′の情報記録面１０ａに対しては、その４角のうちの３点に基準点１２ａ，１２ｂ，１２ｃを設けて構成することで、前記カード情報読み取り装置（２０，２０Ｐ，２０Ｓ）の側で前記情報記録カード１０′の読み取り方向をソフト的に識別できる構成としてもよい。
【００６８】
図５は、前記カード情報利用システムで使用する他の実施形態の情報記録カード１０′の外観構成を示す正面図である。
【００６９】
この他の実施形態の情報記録カード１０′によれば、その情報記録面１０ａに記録された情報の読み取り方向を、前記カード情報読み取り装置（２０，２０Ｐ，２０Ｓ）の側でソフト的に識別することができ、ユーザが当該情報記録カード１０′の読み取り方向をその目印から判断して前記カード情報読み取り装置（２０，２０Ｐ，２０Ｓ）に読み取らせる手間を無くすことができる。
【００７０】
なお、前記各実施形態では、情報記録カード１０（１０′）の基準点１２ａ，１２ｂ（１２ｃ）をデータ点１３ａ，１３ｂ，…と区別して検出するために、当該基準点１２ａ，１２ｂ（１２ｃ）に埋設する導電性材料の導電性の高さを、前記データ点１３ａ，１３ｂ，…のそれよりも高いものとして構成した。
【００７１】
これに対し、前記基準点１２ａ，１２ｂ（１２ｃ）の大きさ（径）や高さをデータ点１３ａ，１３ｂ，…よりも大きいものとしたり高いものとしたりして構成してもよい。
【００７２】
ここで、前記基準点１２ａ，１２ｂ（１２ｃ）の高さをデータ点１３ａ，１３ｂ，…よりも高いものとして構成した場合、前記カード情報読み取り装置（２０，２０Ｐ，２０Ｓ）のカード読み取り処理では、基準点１２ａ，１２ｂ（１２ｃ）とデータ点１３ａ，１３ｂ，…とを時間差を持って検出し区別することができる。この場合、当該基準点１２ａ，１２ｂ（１２ｃ）とデータ点１３ａ，１３ｂ，…とでその導電性材料の特性や大きさを変更する必要はない。
【００７３】
また、前記各実施形態では、情報記録カード１０（１０′）の基準点１２ａ，１２ｂ間の距離（領域サイズ）に応じて、複数のデータ点１３ａ，１３ｂ，…の配列パターンが予め定められ、カード情報読み取り装置（２０，２０Ｐ，２０Ｓ）では、基準点対応データ点パターンテーブル２４ｂにてその対応関係を記憶して前記データ点１３ａ，１３ｂ，…の配列パターンを認識する構成した。
【００７４】
これに対し、前記情報記録カード１０（１０′）の基準点１２ａ，１２ｂ間の距離（領域サイズ）に応じて定められる各データ点１３ａ，１３ｂ，…の配列パターンの種類を、前記カード情報読み取り装置（２０，２０Ｐ，２０Ｓ）で読み取る基準点１２ａ，１２ｂ（１２ｃ）の大きさ（径）や当該基準点１２ａ，１２ｂ（１２ｃ）に対応して検出される信号強度に応じて認識する構成としてもよい。
【００７５】
なお、前記各実施形態において、各データ点１３ａ，１３ｂ，…に応じて“１”“０”の組合せによって配列パターンを認識したが、これに限らず、データ点の座標によって認識してもよいし、基準点に対する相対的な座標によって認識してもよい。
【００７６】
なお、前記各実施形態では、情報記録カードを用いたが、これに限らず、端末装置に前記基準点、前記データ点を備えた構成としてもよい。
【００７７】
なお、前記各実施形態において記載したカード情報読み取り装置（２０，２０Ｐ，２０Ｓ）による各処理の手法、すなわち、図３のフローチャートに示すカード読み取り処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体（２５）に格納して配布することができる。そして、静電容量型のタッチパネル表示装置（２２）を備えた電子機器（２０）のコンピュータ（２３）は、この外部記録装置の媒体（２５）に記憶されたプログラムを記憶装置（２４）に読み込み、この読み込んだプログラムによって動作が制御されることにより、前記各実施形態において説明した情報記録カード１０（１０′）に対するカード読み取り機能を実現し、前述した手法による同様の処理を実行することができる。
【００７８】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ（３０））から前記プログラムのデータを静電容量型のタッチパネル表示装置（２２）を備えた電子機器のコンピュータ（２３）に取り込んで記憶装置（２４）に記憶させ、前述した情報記録カード１０（１０′）に対するカード読み取り機能を実現することもできる。
【００７９】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８０】
以下に、本願出願の当初の特許請求の範囲に記載された発明を付記する。
【００８１】
［１］
情報記録端末と当該端末に記録された情報を読み取る端末情報読み取り装置とを備えた端末情報利用システムであって、
前記情報記録端末は、
端末本体と、
この端末本体に設けられ前記端末情報読み取り装置のタッチパネルにより検出可能な基準点と、
前記端末本体に前記基準点に応じて設けられ、前記端末情報読み取り装置のタッチパネルにより検出可能なデータ点とを備え、
前記端末情報読み取り装置は、
タッチパネルと、
このタッチパネルにより前記情報記録端末の基準点を検出する基準点検出手段と、
この基準点検出手段により検出された基準点に応じて前記情報記録端末に設けられたデータ点を認識するデータ点認識手段と、
このデータ点認識手段により認識された前記複数のデータ点に基づいて、データを解析するデータ解析手段とを備えた、
ことを特徴とする端末情報利用システム。
【００８２】
［２］
前記情報記録端末において、
前記基準点は、前記端末本体の一面の対角する２点に設けられ、
前記データ点は、前記端末本体の一面に前記２点の基準点の間隔に応じて設けられ、
前記端末情報読み取り装置において、
前記基準点検出手段は、前記タッチパネルにより前記情報記録端末の２点の基準点を検出し、
前記データ点認識手段は、前記基準点検出手段により検出された２点の基準点の間隔に応じて前記情報記録端末に設けられた複数のデータ点を認識する、
ことを特徴とする［１］に記載の端末情報利用システム。
【００８３】
［３］
前記情報記録端末において、
前記基準点は、前記端末本体の一面の４角のうち３つの角の３点に設けられ、
前記データ点は、前記端末本体の一面に前記３点の基準点のうち対角の２点の基準点の間隔に応じて設けられ、
前記端末情報読み取り装置において、
前記基準点検出手段は、前記タッチパネルにより前記情報記録端末の３点の基準点を検出し、
前記データ点認識手段は、前記基準点検出手段により検出された３点の基準点のうち対角の２点の基準点の間隔に応じて前記情報記録端末に設けられたデータ点を認識する、
ことを特徴とする［１］に記載の端末情報利用システム。
【００８４】
［４］
前記情報記録端末において、
前記基準点は、前記端末本体の一面に、前記端末情報読み取り装置の静電容量型タッチパネルにより検出可能な導電性材料により設けられ、
前記データ点は、前記端末本体の一面に、前記基準点に応じた配列パターンの配列で、前記端末情報読み取り装置の静電容量型タッチパネルにより“１”または“０”の信号として検出可能な導電性材料により設けられ、
前記端末情報読み取り装置において、
前記タッチパネルは、静電容量型のタッチパネルである、
ことを特徴とする［１］ないし［３］の何れかに記載の端末情報利用システム。
【００８５】
［５］
前記情報記録端末において、
前記基準点の導電性材料の導電特性と、前記データ点の導電性材料の導電特性とを異ならせたことを特徴とする［４］に記載の端末情報利用システム。
【００８６】
［６］
前記情報記録端末において、
前記基準点の導電性材料の大きさと、前記データ点の導電性材料の大きさとを異ならせたことを特徴とする［４］に記載の端末情報利用システム。
【００８７】
［７］
［１］ないし［６］の何れかに記載の端末情報利用システムにおける情報記録端末。
【００８８】
［８］
［１］ないし［６］の何れかに記載の端末情報利用システムにおける端末情報読み取り装置。
【００８９】
［９］
タッチパネルと、
このタッチパネルにより情報記録端末の基準点を検出する基準点検出手段と、
この基準点検出手段により検出された基準点に応じて前記情報記録端末に設けられたデータ点を認識するデータ点認識手段と、
このデータ点認識手段により認識された前記複数のデータ点に基づいて、データを解析するデータ解析手段とを備えた、
ことを特徴とする端末情報利用装置。
【００９０】
［１０］
端末本体と、この端末本体の一面に静電容量型タッチパネルにより検出可能な導電性材料により設けられた基準点と、前記端末本体の一面に前記基準点に応じた配列パターンの配列で前記静電容量型タッチパネルにより“１”または“０”の信号として検出可能な導電性材料により設けられた複数のデータ点とを備えた情報記録端末に記録された情報を読み取る静電容量型タッチパネルを備えた端末情報読み取り装置のコンピュータを制御するための端末情報読み取り方法であって、
前記タッチパネルにより前記情報記録端末の基準点を検出し、
この検出された基準点に応じて前記情報記録端末に設けられた複数のデータ点の配列パターンを認識し、
この認識された前記複数のデータ点の配列パターンに基づいて、前記情報記録端末に設けられた複数のデータ点にそれぞれ対応する信号を検出し、
この検出された前記複数のデータ点にそれぞれ対応する“１”と“０”との信号の組み合わせに基づいて前記情報記録端末に記録されたデータを解析する、
ことを特徴とする端末情報読み取り方法。
【００９１】
［１１］
端末本体と、この端末本体の一面に静電容量型タッチパネルにより検出可能な導電性材料により設けられた基準点と、前記端末本体の一面に前記基準点に応じた配列パターンの配列で前記静電容量型タッチパネルにより“１”または“０”の信号として検出可能な導電性材料により設けられた複数のデータ点とを備えた情報記録端末に記録された情報を読み取る静電容量型タッチパネルを備えた端末情報読み取り装置のコンピュータを制御するためのプログラムであって、
前記コンピュータを、
前記タッチパネルにより前記情報記録端末の基準点を検出する基準点検出手段、
この基準点検出手段により検出された基準点に応じて前記情報記録端末に設けられた複数のデータ点の配列パターンを認識する配列パターン認識手段、
この配列パターン認識手段により認識された前記複数のデータ点の配列パターンに基づいて、前記情報記録端末に設けられた複数のデータ点にそれぞれ対応する信号を検出するデータ点検出手段、
このデータ点検出手段により検出された前記複数のデータ点にそれぞれ対応する“１”と“０”との信号の組み合わせに基づいて前記情報記録端末に記録されたデータを解析するデータ解析手段、
として機能させるためのプログラム。
【符号の説明】
【００９２】
１０  …情報記録カード
１０ａ…情報記録面
１１  …カード本体
１２ａ，１２ｂ，…基準点
１３ａ，１３ｂ，…データ点
２０  …タッチパネル式ＰＤＡ（カード情報読み取り装置）
２１  …電源キー
２２  …タッチパネル表示部
２２ｄ…カラー液晶表示図面
２２ｔ…静電容量型透明タッチパネル
２３  …ＣＰＵ
２４  …記憶装置
２４ａ…カード読み取りプログラム
２４ｂ…基準点対応データ点パターンテーブル
２４ｃ…コード変換テーブル
２５  …外部記録媒体
２６  …記録媒体読取部
２７  …通信部
２８  …ＲＡＭ
２８ａ…動作モードメモリ
２８ｂ…基準点位置メモリ
２８ｃ…読み取りコードメモリ
２８ｄ…読み取りデータメモリ
２８ｅ…表示データメモリ
３０  …Ｗｅｂサーバ
Ｎ  …通信ネットワーク
【図１】
2014164587.tif 000003
【図２】
2014164587.tif 000004
【図３】
2014164587.tif 000005
【図４】
2014164587.tif 000006
【図５】
2014164587.tif 000007